(57)【要約】【課題】電柱や支線の設置場所、電柱のサイズ等を、より簡便且つ正確に標示することができる道具を提供する。【解決手段】地面に電柱及び支線の設置場所を標示するための電柱施設標示具１であって、径の異なる複数の円形状のスリット５ａ，５ｂ，５ｃ，５ｄ，５ｅ，５ｆを有して構成される電柱標示部２ａ，２ｂ，２ｃ，２ｄ，２ｅ，２ｆと、矢印又は直線形状のスリット１０を有して構成される支線標示部３とを具備し、前記電柱標示部２ａ，２ｂ，２ｃ，２ｄ，２ｅ，２ｆと前記支線標示部３とが、シート状部材によって一体に設けられている。【選択図】図１
2009109954.tif 000002
【特許請求の範囲】
【請求項１】
地面に電柱及び支線の設置場所を標示するための電柱施設標示具であって、
径の異なる複数の円形状のスリットを有して構成される電柱標示部と、
矢印又は直線形状のスリットを有して構成される支線標示部と、
を具備し、
前記電柱標示部と前記支線標示部とが、シート状部材によって一体に設けられていることを特徴とする電柱施設標示具。
【請求項２】
少なくとも、前記電柱標示部と前記支線標示部との間、及び前記電柱標示部の各スリットの間に、折線部が設けられていることを特徴とする請求項１記載の電柱施設標示具。
【請求項３】
前記電柱標示部のスリットは、２ｃｍ以下の幅で且つ６種類の径で形成されていることを特徴とする請求項１又は２記載の電柱施設標示具。
【請求項４】
地面に電柱の設置場所を標示するための電柱施設標示具であって、
円盤部と、該円盤部から立設する円筒部とを有して構成される複数の電柱標示部から構成され、
前記各円盤部には、それぞれ径の異なる円形状のスリットが形成され、
前記各円筒部は、それぞれ異なる径を有し、互いに入れ子状に挿入可能である、
ことを特徴とする電柱施設標示具。
【請求項５】
前記円盤部のスリットは、２ｃｍ以下の幅で且つ６種類の径で形成されていることを特徴とする請求項４記載の電柱施設標示具。
【請求項６】
前記円筒部は、それぞれ異なる立設高さを有し、それぞれの上端部には、該円筒部と連結する前記円盤部に形成されたスリットの径に関連する情報が記載されたスケール表示部が設けられていることを特徴とする請求項４又は５記載の電柱施設標示具。
【請求項７】
全ての前記円筒部を入れ子状に挿入した状態で、最も内側に配される該円筒部の内側に、所定の物品を収入可能な空間が形成されていることを特徴とする請求項４〜６のいずれか１つに記載の電柱施設標示具。
【発明の詳細な説明】
【技術分野】
【０００１】
本発明は、所定の用地に電柱を施設する場合に、その設置場所や電柱サイズ等を示す情報を地面に標示するための道具に関するものである。
【背景技術】
【０００２】
電力会社等が電柱を施設しようとする場合、用地の地権者や建設作業者等に電柱や支線の設置場所、電柱サイズ、支線の延設方向等を伝えるために、設計者によって地面に所定の標示が施される。このような標示を施す方法として現在行われているのは、設計者がスプレー等によって電柱等の設置場所に塗料を噴射して所定のマークを描く方法があり、一般的には電柱を円や点で表し、支線を矢印や点で表している。
【０００３】
上記のような作業に関連する発明として、次のような従来技術が開示されている。この従来技術に係る標示板は、円板により形成される標示板本体の表面に各種サイズの電柱の地際面積に合致した円図形を描くと共に、それぞれ円図形に電柱の規格の標示記号を設け、該標示板本体を中心線で二分割二枚の半円板体を形成すると共に、互いの分割端を蝶着して折り畳み自在に構成したものであり、使用時には、この標示板を机上又は地上に置いて円板状に広げ、設けられた標示記号及び円図形から設置しようとする電柱のサイズを視認するものである（特許文献１参照）。
【特許文献１】特開平７−２４３２０７号公報
【発明の開示】
【発明が解決しようとする課題】
【０００４】
しかしながら、上記したような塗料の噴射等によってマーク付けをする方法においては、そのマークによる電柱や支線の表現方法に一定のルールがあるわけではなく、設計者（標示を施す者）の個々の表現方法に依っていたため、電柱サイズ、電柱と支線の位置関係、支線の延設方向等の情報が、地権者や建設作業者に正確に伝わらない場合があった。また、上記特許文献１に記載の標示板は、使用する電柱の径を視認することを目的とするものであり、設置場所となる地面に所定の標示を施すことができるものではないため、上記のような問題を解決できるものではない。
【０００５】
そこで、本発明は、電柱や支線の設置場所、電柱のサイズ等を、より簡便且つ正確に標示することができる道具を提供することを目的とする。
【課題を解決するための手段】
【０００６】
上記課題の解決を図る本発明は、地面に電柱及び支線の設置場所を標示するための電柱施設標示具であって、径の異なる複数の円形状のスリットを有して構成される電柱標示部と、矢印又は直線形状のスリットを有して構成される支線標示部とを具備し、前記電柱標示部と前記支線標示部とが、シート状部材によって一体に設けられていることを特徴とするものである（請求項１）。
【０００７】
この構成においては、先ず、電柱標示部に形成された径の異なる複数の円形状のスリットのうち、施設しようとする電柱の径に適合するものを選択し、このスリットを電柱の設置場所となる地面に載置して、このスリットに向けてスプレー等を用いて塗料を噴射する。次いで、支線標示部のスリットを、支線の設置（延設）方向に適合するように載置し、このスリットに塗料を噴射する。これにより、地面に施設しようとする電柱の柱径を表す円形（部分的に断続した円形を含む）と、支線の延設方向を示す矢印又は直線が標示される。このように、本構成によれば、簡単な作業によって電柱の設置場所及び大きさ（径）、支線の延設方向を正確に表現することができる。
【０００８】
また、上記請求項１記載の構成において、少なくとも、前記電柱標示部と前記支線標示部との間、及び前記電柱標示部の各スリットの間に、折線部が設けられていることが好ましい（請求項２）。
【０００９】
これにより、不使用時、又は使用時において、電柱施設標示具全体を小さく折り畳むことができるので、運搬性及び作業性を向上させることができる。
【００１０】
また、上記請求項１又は２記載の構成において、前記電柱標示部のスリットは、２ｃｍ以下の幅で且つ６種類の径で形成されていることが好ましい（請求項３）。
【００１１】
このように、円形状のスリットの幅を２ｃｍ以下とすることにより、円形状の標示を実際の電柱径に対して２ｃｍ以下の誤差で描くことができる。また、現在の電柱は、柱径や形状等に基づいて２５の規格に区分され、２１種の柱径が存在しているが（表１参照）、スリット径を最も小径のものから順に、例えば１５．５〜１６．５ｃｍ，２１〜２３ｃｍ，２６〜２８ｃｍ，３０〜３２ｃｍ，３４〜３６ｃｍ，３９〜４１ｃｍのように６種類に設定することにより、全規格に対応することが可能となる。
【００１２】
また、本発明は、地面に電柱の設置場所を標示するための電柱施設標示具であって、円盤部と、該円盤部から立設する円筒部とを有して構成される複数の電柱標示部から構成され、前記各円盤部には、それぞれ径の異なる円形状のスリットが形成され、前記各円筒部は、それぞれ異なる径を有し、互いに入れ子状に挿入可能であることを特徴とするものである（請求項４）。
【００１３】
この構成においても、上記請求項１記載の構成と同様に、施設しようとする電柱の径に適合する円形状のスリットを有する電柱標示部を選択し、これを電柱の設置場所となる地面に載置して、このスリットに向けてスプレー等を用いて塗料を噴射する。これにより、地面に施設しようとする電柱の径を表す円形（部分的に断続した円形を含む）が標示され、簡単な作業によって電柱の設置場所及び大きさ（径）を正確に表現することができる。また、本構成においては、円盤部から円筒部が立設されていることにより、この電柱標示部を地面に置いた時に、電柱が実際に施設された状態をイメージしやすくなる。更に、この円筒部が互いに入れ子状に挿入可能になされていることにより、不使用時や運搬時には全ての電柱標示部を一体にまとめておくことができ、運搬性等が優れたものとなる。
【００１４】
また、上記請求項４記載の構成において、前記円盤部のスリットは、２ｃｍ以下の幅で且つ６種類の径で形成されていることが好ましい（請求項５）。
【００１５】
このような構成とすることにより、上記請求項３記載の構成と同様に、６種類の径の設定を工夫することにより２ｃｍ以下の誤差で全ての電柱規格に対応できるようになる。
【００１６】
また、上記請求項４又は５記載の構成において、前記円筒部は、それぞれ異なる立設高さを有し、それぞれの上端部には、該円筒部と連結した前記円盤部に形成されたスリットの径に関連する情報が記載されたスケール表示が設けられていることが好ましい（請求項６）。
【００１７】
この構成によれば、円筒部を入れ子状に組み合わせた状態であっても、使用すべき電柱標示部を選び出すことができる。
【００１８】
また、上記請求項４〜６のいずれか１つに記載の構成において、全ての前記円筒部を入れ子状に挿入した状態で、最も内側に配される該円筒部の内側に、所定の物品を収入可能な空間が形成されていることが好ましい（請求項７）。
【００１９】
この構成によれば、例えば支線の延設方向を示す矢印又は直線形状のスリットが形成されたプレート、塗料噴射用のスプレー、地面のゴミ等を掃くためのほうき等の道具を収納して運搬することができるので、利便性を向上させることができる。
【発明の効果】
【００２０】
以上のように、本発明によれば、電柱サイズ（柱径）を示す円形状のスリットや、支線の延設方向を示す矢印又は直線形状のスリットを具備したことにより、これらのスリットにスプレー等により塗料を噴射すれば、電柱サイズ、電柱と支線の位置関係、支線の延設方向等を、電柱の設置場所となる地面に簡便且つ正確に標示することができる。また、円形状のスリットを所定幅（２ｃｍ）以下で且つ複数（６種）種の径で形成することにより、一つ（一組）の電柱施設標示具で、小さな誤差で全ての電柱規格に対応した標示を描くことが可能となる。更に、電柱施設標示具を一枚のシート状部材から構成する場合においては、折線部を設けることにより、当該シート状部材を適宜折り畳んで運搬性や作業性を向上させることができる。更にまた、電柱施設標示具を別体となる複数の電柱標示部から構成する場合においては、これらの電柱標示具の一部をなす円筒部を入れ子状に挿入可能としたことにより、不使用時や運搬時に電柱施設標示具全体を一体化してコンパクトな状態とすることができ、運搬性等を向上させることができる。また、これら円筒部の立設高さを異ならせ、それぞれの上端部に円形状のスリット径に関する情報を記載したスケール表示部を設けることにより、各円筒部を入れ子状に挿入して電柱施設表示具全体を一体化した状態であっても、使用すべき電柱表示部を選ぶことができる。更に、これら円筒部の内部の空間に所定の物品を収納可能とする空間を設けることにより、作業に使用する適宜な道具を収納して持ち運ぶことができる。
【発明を実施するための最良の形態】
【００２１】
以下、添付した図面を参照して本発明の実施例を説明する。尚、異なる実施例において同一又は同様の作用効果を奏する箇所についてはその説明を省略する。
【実施例１】
【００２２】
図１において、本実施例に係る電柱施設標示具１が示されている。図１（ａ）に示すように、電柱施設標示具１は、７つのパートに区分けされた長方形のシート状部材から構成され、第１の電柱標示部２ａ、第２の電柱標示部２ｂ、第３の電柱標示部２ｃ、第４の電柱標示部２ｄ、第５の電柱標示部２ｅ、第６の電柱標示部２ｆ、及び支線標示部３を有して構成される。各電柱標示部２ａ，２ｂ，２ｃ，２ｄ，２ｅ，２ｆ及び支線標示部３は、パート間折線部４によって区画され、それぞれが１枚のシート状部材によって一体に形成されている。電柱施設標示具１を構成する材料としては、可撓性を有するプラスチック材等が好適である。
【００２３】
各電柱標示部２ａ，２ｂ，２ｃ，２ｄ，２ｅ，２ｆには、それぞれ柱径標示部５ａ，５ｂ，５ｃ，５ｄ，５ｅ，５ｆ、「電柱」文字標示部６、把持部７、電柱標示部内折線部８が設けられている。柱径標示部５ａ，５ｂ，５ｃ，５ｄ，５ｅ，５ｆ及び「電柱」文字標示部６は、スリットにより形成されている。各柱径標示部５ａ，５ｂ，５ｃ，５ｄ，５ｅ，５ｆの径は異なっており、各径の大きさの関係は、５ａ＜５ｂ＜５ｃ＜５ｄ＜５ｅ＜５ｆとなっている。「電柱」文字標示部６は、各柱径標示部５ａ，５ｂ，５ｃ，５ｄ，５ｅ，５ｆの内部に設けられ、いずれの「電柱」文字標示部６も同様の構成を有している。把持部７は、各電柱標示部２ａ，２ｂ，２ｃ，２ｄ，２ｅ，２ｆの図中左上にアーチ状に固定された紐状部材であって、いずれの把持部７も同様の固定位置及び構成を有している。電柱標示部内折線部８は、各電柱標示部２ａ，２ｂ，２ｃ，２ｄ，２ｅ，２ｆの中心部に、電柱施設標示具１全体の短手方向に設けられ、前記パート間折線部４とは逆方向に屈曲するようになされている。
【００２４】
下記表１において、各柱径標示部５ａ，５ｂ，５ｃ，５ｄ，５ｅ，５ｆの直径と、電柱規格（電柱の直径）との関係が示されている。同表に示すように、第１の柱径標示部５ａの直径は、１５．５〜１６．５ｃｍであり、これに適合する電柱規格はＦＪＡ８ｍ（直径１６．５ｃｍ）である。第２の柱径標示部５ｂの直径は、２１〜２３ｃｍであり、ＪＢ１５ｍ（直径２１．６ｃｍ）、ＣＩ８ｍ（直径２３ｃｍ）、ＣＩ１０ｍ（直径２３ｍ）である。第３の柱径標示部５ｃの直径は、２６〜２８ｃｍであり、これに適合する電柱規格は細径Ｂ型１２ｍ（直径２５．３ｃｍ）、ＣＪ１２ｍ（直径２７ｃｍ）、ＣＪ１４ｍ（直径２７ｃｍ）、ＣＫ１４ｍ（直径２７ｃｍ）、ＣＡ８ｍ（直径２７．８ｃｍ）である。第４の柱径標示部５ｄの直径は、３０〜３２ｃｍであり、これに適合する電柱規格はＰＢ８ｍ（直径２９ｃｍ）、ＣＡ１０ｍ（直径３０．１ｃｍ）、細径Ｃ型１５ｍ（直径３０．４ｃｍ）、ＪＩ１０ｍ（直径３２ｃｍ）、ＰＢ１０ｍ（直径３２．２ｃｍ）、ＣＢ１２ｍ（直径３２．３ｃｍ）である。第５の柱径標示部５ｅの直径は、３４〜３６ｃｍであり、これに適合する電柱規格はＣＢ１４ｍ（直径３４．５ｃｍ）、ＣＣ１４ｍ（直径３４．５ｃｍ）、ＪＩ１２ｍ（直径３５ｃｍ）、ＣＤ１５ｍ（直径３５．３ｃｍ）、ＣＣ１５ｍ（直径３５．７ｃｍ）、ＰＢ１２ｍ（直径３５．７ｃｍ）、ＣＤ１６ｍ（直径３６．６ｃｍ）である。第６の柱径標示部５ｆの直径は、３９〜４１ｃｍであり、これに適合する電柱規格はＪＩ１４ｍ（直径３８．２ｃｍ）、ＣＥ１６ｍ（直径３９．６ｃｍ）、ＪＪ１４ｍ（直径４１．２ｃｍ）である。尚、上記柱径標示部５ａ，５ｂ，５ｃ，５ｄ，５ｅ，５ｆの直径に幅があるのは、これらを構成するスリットが２ｃｍ以下の幅を有していることによる。これら６種の柱径標示部５ａ，５ｂ，５ｃ，５ｄ，５ｅ，５ｆによって、現存する全ての電柱規格に、２ｃｍ以下の誤差で対応することができる。
【００２５】
【表１】
2009109954.tif 000003
【００２６】
図１に示すように、支線標示部３には、矢印標示部１０、「支線」文字標示部１１、把持部１２、支線標示部内折線部１３が設けられている。矢印標示部１０及び「支線」文字標示部１１は、スリットにより形成されている。矢印標示部１０により表現される矢印の方向は、前記電柱標示部２ａ，２ｂ，２ｃ，２ｄ，２ｅ，２ｆから離れる方向を向いている。把持部１２は、支線標示部３の図中右上にアーチ状に固定された紐状部材であって、前記各電柱標示部２ａ，２ｂ，２ｃ，２ｄ，２ｅ，２ｆの把持部７とはその固定位置が左右逆となっている。支線標示部内折線部１３は、前記各電柱標示部２ａ，２ｂ，２ｃ，２ｄ，２ｅ，２ｆの標示部内折線部８と同様に、支線標示部３の中心部に、電柱施設標示具１全体の短手方向に設けられ、前記パート間折線部４とは逆方向に屈曲するようになされている。
【００２７】
図１（ｂ）において、上記構成の電柱施設標示具１が折り畳まれる際の状態が示され、図１（ｃ）において、電柱施設標示具１が完全に折り畳まれた状態が示されている。同図に示されるように、電柱施設標示具１を折り畳む際には、パート間折線部４と、各パート（電柱標示部２ａ〜ｆ及び支線標示部３）内の折線部８，１３とを折り曲げて、蛇腹状にすることによって、最終的には各パートの半分の大きさに折り畳まれる。そしてこの時各把持部７，１２が重なることによって、持ち運びやすい形状となる。
【００２８】
図２において、上記構成の電柱施設標示具１の使用状態が示されている。先ず、施設しようとする電柱の規格に適合する柱径標示部５ａ〜ｆを有する電柱標示部２ａ〜ｆを、上記表１に示すようなデータに基づいて選択し、これを施設場所となる地面に載置する。ここでは第３の電柱標示部２ｃを使用する例が示されている。そして、この第３の電柱標示部２ｃの柱径標示部５ｃ及び「電柱」文字標示部６に向かって、スプレー２０等によって塗料を噴射する。その後、電柱施設標示具１の電柱標示部２ａ，２ｂ，２ｃ，２ｄ，２ｅ，２ｆを適宜折り畳みながら、支線標示部３を第３の電柱標示部２ｃの載置場所の近くに載置し、その矢印標示部１０及び「支線」文字標示部１１に向かってスプレー２０等によって塗料を噴射する。すると、図３に示すように、地面に電柱の設置場所及び大きさを示す柱径標示２１及び「電柱」文字標示２２が標示されると共に、支線の延設方向を示す矢印標示２３及び「支線」文字標示２４が標示される。
【００２９】
上記構成の電柱施設標示具１によれば、電柱の設置場所となる地面に図３に示すような明確な標示がなされるので、電柱の設置場所及び大きさ、支線の延設方向を的確に表現することができる。また、電柱標示部２ａ，２ｂ，２ｃ，２ｄ，２ｅ，２ｆを６つのパートに分け、上記表１のように設定された柱径標示部５ａ，５ｂ，５ｃ，５ｄ，５ｅ，５ｆを設けたことにより、１つの電柱施設標示具１によって小さな誤差で全ての電柱規格に対応することができる。更に、各電柱標示部２ａ，２ｂ，２ｃ，２ｄ，２ｅ，２ｆ及び支線標示部３の間及び内部に折線部４，８，１３を設けたことにより、小さく折り畳むことができるので、運搬時等の利便性を向上させることができる。
【実施例２】
【００３０】
図４において、本実施例に係る電柱施設標示具３１が示されている。この電柱施設標示具３１は、６つの別体となる第１の電柱標示部３２ａ、第２の電柱標示部３２ｂ、第３の電柱標示部３２ｃ、第４の電柱標示部３２ｄ、第５の電柱標示部３２ｅ、第６の電柱標示部３２ｆから構成されている。各電柱標示部３２ａ，３２ｂ，３２ｃ，３２ｄ，３２ｅ，３２ｆは、円盤部３５ａ，３５ｂ，３５ｃ，３５ｄ，３５ｅ，３５ｆ及び円筒部３６ａ，３６ｂ，３６ｃ，３６ｄ，３６ｅ，３６ｆを有して構成されている。
【００３１】
各円盤部３５ａ，３５ｂ，３５ｃ，３５ｄ，３５ｅ，３５ｆには、それぞれ柱径標示部３８ａ，３８ｂ，３８ｃ，３８ｄ，３８ｅ，３８ｆがスリットにより形成されている。これら柱径標示部３８ａ，３８ｂ，３８ｃ，３８ｄ，３８ｅ，３８ｆの径は異なっており、各径の大きさの関係は、３８ａ＞３８ｂ＞３８ｃ＞３８ｄ＞３８ｅ＞３８ｆとなっている。また、これら柱径標示部３８ａ，３８ｂ，３８ｃ，３８ｄ，３８ｅ，３８ｆは、上記実施例１における柱径標示部５ａ，５ｂ，５ｃ，５ｄ，５ｅ，５ｆと同様の構成を有するものであり、３８ａと５ｆ、３８ｂと５ｅ、３８ｃと５ｄ、３８ｄと５ｃ、３８ｅと５ｂ、３８ｆと５ａが、それぞれ同一形状となっている（図１（ａ）及び表１参照）。
【００３２】
各円筒部３６ａ，３６ｂ，３６ｃ，３６ｄ，３６ｅ，３６ｆは、各円盤部３５ａ，３５ｂ，３５ｃ，３５ｄ，３５ｅ，３５ｆの各柱径標示部３８ａ，３８ｂ，３８ｃ，３８ｄ，３８ｅ，３８ｆの内部に立設されている。これら各円筒部３６ａ，３６ｂ，３６ｃ，３６ｄ，３６ｅ，３６ｆの立設高さは異なっており、各高さの関係は、３６ａ＜３６ｂ＜３６ｃ＜３６ｄ＜３６ｅ＜３６ｆとなっている。また、各円筒部３６ａ，３６ｂ，３６ｃ，３６ｄ，３６ｅ，３６ｆの上端部には、それぞれスケール表示部４０ａ，４０ｂ，４０ｃ，４０ｄ，４０ｅ，４０ｆが貼設されている。これらスケール表示部４０ａ，４０ｂ，４０ｃ，４０ｄ，４０ｅ，４０ｆには、それぞれ対応する表１中の標示直径（４０ａは３９〜４１ｃｍ、４０ｂは３４〜３６ｃｍ、４０ｃは３０〜３２ｃｍ、４０ｄは２６〜２８ｃｍ、４０ｅは２１〜２３ｃｍ、４０ｆは１５．５〜１６．５ｃｍ）や電柱規格等が記載されている。また、最小径の第６の電柱標示部３２ｆの円筒部３６ｆには、その上端部にアーチ状の把持部４１が設けられている。
【００３３】
上記６つの電柱標示部３２ａ，３２ｂ，３２ｃ，３２ｄ，３２ｅ，３２ｆからなる本実施例に係る電柱施設標示具３１は、図４中矢印で示すように、大径の電柱標示部（例えば３２ａ）の円筒部（３６ａ）内に下方から次に小径の電柱標示部（３２ｂ）の円筒部（３６ｂ）を順次挿入していくことにより、図５及び図６（ａ）に示すように、全ての電柱標示部３２ａ，３２ｂ，３２ｃ，３２ｄ，３２ｅ，３２ｆが入れ子状に一体となった状態にすることができる。
【００３４】
この時、最小径の第６の電柱標示部３２ｆに把持部４１が設けられていると共に、該第６の電柱標示部３２ｆの円盤部３５ｆが他の全ての円盤部３５ａ，３５ｂ，３５ｃ，３５ｄ，３５ｅの最下層に位置することにより、把持部４１を持つことによって電柱施設標示具３１全体を持ち上げることができる。また、図５に示すように、各円筒部３６ａ，３６ｂ，３６ｃ，３６ｄ，３６ｅ，３６ｆの高さは、より小径のものの方が大径のものよりも、言い替えれば、より内側に配されるものの方が外側に配されるものよりも、高くなっていると共に、これら円筒部３６ａ，３６ｂ，３６ｃ，３６ｄ，３６ｅ，３６ｆの上端部にスケール表示部４０ａ，４０ｂ，４０ｃ，４０ｄ，４０ｅ，４０ｆが貼設されていることにより、図５に示すように電柱標示部３２ａ，３２ｂ，３２ｃ，３２ｄ，３２ｅ，３２ｆを一体とした状態であっても、各スケール表示部４０ａ，４０ｂ，４０ｃ，４０ｄ，４０ｅ，４０ｆを目視することができる。更に、図６（ａ），（ｂ）に示すように、一体なった状態の電柱施設標示具１の円筒部３６ａ，３６ｂ，３６ｃ，３６ｄ，３６ｅ，３６ｆ内には、空間４３が形成され、この空間４３に図６（ｂ）に示すような道具を収納することができる。この道具としては、「電柱」との文字がスリットにより形成された「電柱」文字標示プレート４５、「支線」との文字がスリットにより形成された「支線」文字標示プレート４６、矢印がスリットにより形成された矢印標示プレート４７、塗料を噴射するためのスプレー２０、設置場所のゴミや塵を除去するためのほうき４８等が好適である。これにより、必要な道具一式を簡単に作業場所まで運搬することができる。
【図面の簡単な説明】
【００３５】
【図１】本発明の実施例１に係る電柱施設標示具の構造を示す図であり、（ａ）は同電柱施設標示具を伸ばした状態を示す図、（ｂ）は同電柱施設標示具を折り畳む途中の状態を示す図、（ｃ）は同電柱施設標示具を完全に折り畳んだ状態を示す（ｂ）の右側面図である。
【図２】実施例１に係る電柱施設標示具の使用状態を示す図である。
【図３】実施例１に係る電柱施設標示具を使用した結果地面に標示される標示である。
【図４】本発明の実施例２に係る電柱施設標示具の構造を示す図である。
【図５】実施例２に係る電柱施設標示具を入れ子状に一体とした状態を示す図である。
【図６】（ａ）は実施例２に係る電柱施設標示具を入れ子状に一体とした状態の断面図であり、（ｂ）は同電柱施設標示具内の空間に収納されるべき道具を示す図である。
【符号の説明】
【００３６】
１，３１  電柱施設標示具
２ａ，２ｂ，２ｃ，２ｄ，２ｅ，２ｆ  電柱標示部（実施例１）
３  支線標示部
４  パート間折線部
５ａ，５ｂ，５ｃ，５ｄ，５ｅ，５ｆ  柱径標示部（実施例１）
６  「電柱」文字標示部
７，１２  把持部
８  電柱標示部内折線部
１０  矢印標示部
１１  「支線」文字標示部
１３  支線標示部内折線部
２０  スプレー
３２ａ，３２ｂ，３２ｃ，３２ｄ，３２ｅ，３２ｆ  電柱標示部（実施例２）
３５ａ，３５ｂ，３５ｃ，３５ｄ，３５ｅ，３５ｆ  円盤部
３６ａ，３６ｂ，３６ｃ，３６ｄ，３６ｅ，３６ｆ  円筒部
３８ａ，３８ｂ，３８ｃ，３８ｄ，３８ｅ，３８ｆ  柱径標示部（実施例２）
４０ａ，４０ｂ，４０ｃ，４０ｄ，４０ｅ，４０ｆ  スケール表示部
４１  把持部
４３  空間
４５  「電柱」文字標示プレート
４６  「支線」文字標示プレート
４７  矢印標示プレート
【図１】
2009109954.tif 000004
【図２】
2009109954.tif 000005
【図３】
2009109954.tif 000006
【図４】
2009109954.tif 000007
【図５】
2009109954.tif 000008
【図６】
2009109954.tif 000009